(57)【要約】アッパー（２）、および上記のアッパー（２）に連結されるソール（３）を有する靴（１）、特に運動靴に関する。格別な着用時の快適さと共に靴のソールの良好な反発性を実現するために、ソール（３）の少なくともいくつかのエリアはキャリア材（５）に埋め込まれるいくつかの中空体（４）から成り、上記のキャリア材（５）は発泡プラスチック材料から成る。【選択図】図２
2021516114.tif 000002
【特許請求の範囲】
【請求項１】
アッパー（２）、および前記アッパー（２）に連結されるソール（３）を有する靴（１）、特に運動靴であって、
前記ソール（３）の少なくともいくつかのエリアはキャリア材（５）に埋め込まれるいくつかの中空体（４）から成り、前記キャリア材（５）は発泡プラスチック材料から成る
ことを特徴とする靴（１）。
【請求項２】
キャリア材（５）として使用される前記プラスチック材料は粘弾性的挙動を有する
請求項１に記載の靴。
【請求項３】
前記キャリア材（５）として使用される前記プラスチック材料（５）は、ポリウレタンを含む、またはポリウレタンから成る
請求項１に記載の靴。
【請求項４】
前記キャリア材（５）として使用される前記プラスチック材料は、０．１５〜０．３５ｇ／ｃｍ3の密度を有する
請求項１ないし３のいずれかに記載の靴。
【請求項５】
前記キャリア材（５）として使用される前記プラスチック材料は、２５〜４０アスカーＣ硬度を有する
請求項１ないし４のいずれかに記載の靴。
【請求項６】
前記中空体（４）は球形または楕円形である
請求項１ないし５のいずれかに記載の靴。
【請求項７】
前記中空体（４）は、長円形であり、末端領域では丸みを帯びている、特に半球形である
請求項１ないし５のいずれかに記載の靴。
【請求項８】
中空体（４）の最大寸法（Ｌ）は、４ｍｍ〜１０ｍｍ、好ましくは、６〜８ｍｍである
請求項１ないし７のいずれかに記載の靴。
【請求項９】
中空体（４）の肉厚（ｔ）は、０．３ｍｍ〜１．２ｍｍ、好ましくは、０．５ｍｍ〜１．０ｍｍである
請求項１ないし８のいずれかに記載の靴。
【請求項１０】
前記中空体（４）の材料は、熱可塑性ポリエステルエラストマー（ＴＰＥ−Ｅ）、ウレタン系熱可塑性エラストマー（ＴＰＥ−Ｕ）、または熱可塑性コポリアミド（ＴＰＥ−Ａ）である
請求項１ないし９のいずれかに記載の靴。
【請求項１１】
前記中空体（４）の前記材料は、ショアＡ硬度が８０〜９５の原材料によるウレタン系熱可塑性エラストマー（ＴＰＥ−Ｕ）である
請求項１０に記載の靴。
【請求項１２】
前記中空体（４）の前記材料は、発泡熱可塑性ポリウレタン（Ｅ−ＴＰＵ）である
請求項１ないし９のいずれかに記載の靴。
【請求項１３】
中空体（４）およびキャリア材（５）から成る前記ソールは、２５％〜７５％、好ましくは、３０％〜５０％の中空体（４）の体積分率を有する
請求項１ないし１２のいずれかに記載の靴。
【請求項１４】
中空体（４）およびキャリア材（５）から成る前記ソール（３）は、真下にアウトソール（６）が配置されるミッドソール（３’）として設計される
請求項１ないし１３のいずれかに記載の靴。
【請求項１５】
ジョギングシューズとして設計される
請求項１ないし１４のいずれかに記載の靴。
【発明の詳細な説明】
【技術分野】
【０００１】
本発明は、アッパー、および上記のアッパーに連結されるソールを有する靴、特に運動靴に関する。
【背景技術】
【０００２】
このタイプの靴は、普通は、着用が快適であり、さりながら、さらに良好なばね特性およびクッション性を有するような靴を設計することが必要とされる。特に、ソールの良好な復元性がここで所望されている（「反動」効果としても既知である）。
【先行技術文献】
【特許文献】
【０００３】
【特許文献１】国際公開第２０１０／０１００１０号パンフレット
【発明の概要】
【発明が解決しようとする課題】
【０００４】
多数の以前から既知の解決策に基づいて、本発明は、この点においてさらに改善される、すなわち、特に、良好なスプリングバックまたは復元性を有する一般的な靴を提供する目的に基づく。
【課題を解決するための手段】
【０００５】
本発明によるこの目的の解決策は、ソールの少なくともある部分がキャリア材に埋め込まれるいくつかの中空体から成り、上記のキャリア材は発泡プラスチックから成ることを特徴とする。
【０００６】
キャリア材として使用されるプラスチック材料は、好ましくは、粘弾性的挙動を示し、好ましくは、ポリウレタンから成る、または少なくともこの材料を有する。粘弾性は、機械的応力下で、部分的な弾性および粘性の材料挙動が発生することである。この挙動が非常に高くなった温度でのみ観察され得る金属材料と対照的に、プラスチックの粘弾性的挙動は、既に室温で生じるため、これらの材料の、剛性、強度、変形、および靱性挙動に対して強力で実際的な影響を与える。
【０００７】
キャリア材として使用されるプラスチック材料は、好ましくは、０．１５〜０．３５ｇ／ｃｍ3の密度を有する。
【０００８】
キャリア材として使用されるプラスチック材料は、好ましくは、２５〜４０アスカーＣ硬度を有する。
【０００９】
中空体は好ましくは、球形または楕円形であり、また、長円形であり、末端領域では丸みを帯びている、特に半球形とすることができる。そのために、中空体の最大寸法は、好ましくは、４ｍｍ〜１０ｍｍであり、具体的には、６〜８ｍｍが好ましい。中空体の肉厚は好ましくは、０．３ｍｍ〜１．２ｍｍであり、具体的には、０．５ｍｍ〜１．０ｍｍが好ましい。
【００１０】
中空体の材料は好ましくは、熱可塑性ポリエステルエラストマー（ＴＰＥ−Ｅ）、ウレタン系熱可塑性エラストマー（ＴＰＥ−Ｕ）、または熱可塑性コポリアミド（ＴＰＥ−Ａ）である。本発明の具体的に好ましい実施形態によると、中空体の材料は、ショアＡ硬度が８０〜９５の原材料によるウレタン系熱可塑性エラストマー（ＴＰＥ−Ｕ）である。
【００１１】
中空体の材料はまた、発泡熱可塑性ポリウレタン（Ｅ−ＴＰＵ）とすることができる。
【００１２】
中空体およびキャリア材から成るソールは、好ましくは、２５％〜７５％、具体的には３０％〜５０％が好ましい中空体の体積分率を有する（それぞれ、ソールに対する外部負荷なく測定される）。
【００１３】
そのために、中空体およびキャリア材から成るソールは、真下にアウトソールが配置されるミッドソールとして設計可能である。
【００１４】
靴は具体的には、ジョギングシューズとして設計されるのが好ましい。
【００１５】
靴のアッパーは、一般的に、要望通りに設計可能である。典型的な織物、革、または模造皮革材料が使用可能である。編物材料も可能である。アッパーが編物材料から作られる場合、このアッパーを靴下のように設計し、このアッパーをソールに連結することも可能である。この場合、アッパーは、一体型の、好ましくは無縫製の編成部として設計される。丸編み機はこの目的で使用可能であり、これによって、周囲全体が閉じられた布地が製作され得る。
【００１６】
当然ながら、アッパーが製作可能である他の可能性もある。上で説明したように、靴のアッパーは典型的なやり方で製作されることが想定可能であり、着用者の足裏の下に及ぶ下部は例えば、アッパーに縫製可能であるストロベルソールがある。これは、特に、アッパーの編成された上部と組み合わせてなされ得る。
【００１７】
アッパーは、例えば、縫製および／または接着によってソール部に取り付け可能である。
【００１８】
上述されるウレタン系熱可塑性エラストマーに関して、特許文献１に明確に言及されている。特許文献１では、熱可塑性ポリウレタンおよびスチレン重合体を含有する、発泡性の発泡剤を含有する熱可塑性ポリマーブレンドが開示されている。
【００１９】
靴、とりわけ運動靴が上で指定されるように設計される時、（着用者の脚による圧縮力の除去後）靴の圧縮挙動およびこの回復性に関して、靴の非常に有利で快適な着用性が実現可能であることが示されている。
【００２０】
キャリア材として使用される材料の粘弾性的挙動に関して、これが、圧点を回避して、靴の着用者の脚に対する圧力の好適な分布を実現可能であることは留意されるべきである。この材料は、むしろ徐々に脚に適応し、これによって、材料の即時のスプリングバックは生じない。粘弾性材料の例には、エチレン酢酸ビニル（ＥＶＡ）およびポリウレタン（ＰＵ）などの粘弾性発泡体がある。ＥＶＡおよびＰＵは、粘性および弾性を有する軽量で安定した発泡材料である。軟質で弾性の材料により、この材料は脚に最適に適応する。これらの粘弾性発泡体の別の有利な性質は、これらが応力なく元の形状に戻ることである。
【００２１】
アスカーＣによる上述した硬度は、当業者には十分既知であり、これについては、ＳＲＩＳ  ０１０１およびＡＢＮＴ  ＮＢＲ  １４４５５の規格を参照する。
【００２２】
図面には、本発明の実施形態が示されている。
【図面の簡単な説明】
【００２３】
【図１】靴の概略的な側面図である。
【図２】図１に示される靴のミッドソールの一部による断面、すなわち、細部「Ｘ」を概略的に示す図である。
【図３】ソールの一部であり、球体の形態の中空体を示す図である。
【図４】図３に対する中空体の代替的な設計を楕円体として示す図である。
【図５】図３に示されるような中空体の別の代替策を長円要素として示す図である。
【発明を実施するための形態】
【００２４】
図１は、アッパー２およびソール３を含むランニングシューズ（ジョギングシューズ）の形態の靴１を示す。ソール３は、例えば、接着剤によってアッパー２に連結される。示される実施形態では、ソール３はミッドソール３’から成り、この真下にアウトソール６が配置され、このアウトソール６は、例えば、接着部によってミッドソール３’に接着させる。
【００２５】
ミッドソール３’は図２に示されるような材料組成で作られる。それ故に、ミッドソール３’がキャリア材５に埋め込まれるいくつかの中空体４から成ることを目的とする。それによって、キャリア材５は発泡プラスチックから成る。
【００２６】
中空体は、中空の球体として図２に示されている。このような中空体４が中空球体の形態で示される図３をこの範囲で参照する。そのために、ここで、球体の直径の形態での最大寸法はＬで示される。中空体４は肉厚ｔを有する。
【００２７】
中空体の代替的な設計が図４および図５に示されている。図４において、中空体４は楕円体として設計され、図５において、端部エリアでは半球形として設計される長円体として設計される。
【００２８】
中空体４は、例えば、射出成形、ブロー成形、またはレーザ焼結によって製作可能である。
【００２９】
中空体の表面は、部分的に開放され得る、または完全に閉じられ得る。中空体は、閉じられる場合、好ましくは空気を含有する。中空体４は、とりわけ、圧縮中の変形による変形力の顕著な直線状ではない推移を示す事実によって特徴付けられる。それ故に、中空体４は、ある程度まで比較的容易に変形または圧縮可能であるが、ある特定のレベルの変形を上回ると、さらなる変形に対する抵抗が急激に増大し、すなわち、ここで、中空体をさらに変形させることはより困難になる。
【００３０】
この挙動は、運動の分野における緩衝システムにとって、ここではとりわけ靴底（ミッドソールおよびインソールも）にとって非常に有利であり得る。
【００３１】
外力の除去後、中空体４はこの元の形状を完全に取り戻す。
【００３２】
中空体４は、溶接によってまたはマイクロ波の使用によって、２つの半球体またはハーフシェルを共に接合することによって製作可能である。円形ウェブは接合部で形成可能であり、これは、所望のやり方で剛性に対するプラス効果を与えることができる。
【００３３】
提案された中空体４と、上述される各材料から作られるキャリア材５との組み合わせは、この材料の組み合わせから作られるソール、とりわけ好ましくはミッドソールが、（中空体４の使用によって）良好な回復特性またはスプリングバック特性を有するが、それにもかかわらず、（キャリア材５の使用によって）靴の着用時の高い快適さを可能にするという非常に有利な結果をもたらす。
【００３４】
キャリア材５向けの（ポリウレタンフォームの形態の）比較的軟質の材料によって、靴の着用時の高い快適さが保証される。一方では、とりわけ、ミッドソールの形態のソールが良好な復元効果を有するように、中空体４によって所望の「反動効果」がもたらされる。
【００３５】
材料の上述した硬度は、所望の効果がこの材料の最良の長所として示されるように選択される。
【００３６】
よって、とりわけ、ランニングシューズ（ジョギングシューズ）として設計される提案された靴は、上述した目的に関して最適な使用性を有する。
【符号の説明】
【００３７】
１  靴
２  アッパー
３  ソール
３’  ミッドソール
４  中空体
５  キャリア材
６  アウトソール
Ｌ  中空体の最大寸法
ｔ  中空体の肉厚
【図１】
2021516114.tif 000003
【図２】
2021516114.tif 000004
【図３】
2021516114.tif 000005
【図４】
2021516114.tif 000006
【図５】
2021516114.tif 000007
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
アッパー（２）、および前記アッパー（２）に連結されるソール（３）を有する靴（１）、特に運動靴であって、
前記ソール（３）の少なくともいくつかのエリアはキャリア材（５）に埋め込まれるいくつかの中空体（４）から成り、前記キャリア材（５）は発泡プラスチック材料から成り、前記中空体（４）の前記材料は発泡熱可塑性ポリウレタン（Ｅ−ＴＰＵ）である
ことを特徴とする靴（１）。
【請求項２】
キャリア材（５）として使用される前記プラスチック材料は粘弾性的挙動を有する
請求項１に記載の靴。
【請求項３】
前記キャリア材（５）として使用される前記プラスチック材料（５）は、ポリウレタンを含む、またはポリウレタンから成る
請求項１に記載の靴。
【請求項４】
前記キャリア材（５）として使用される前記プラスチック材料は、０．１５〜０．３５ｇ／ｃｍ3の密度を有する
請求項１ないし３のいずれかに記載の靴。
【請求項５】
前記キャリア材（５）として使用される前記プラスチック材料は、２５〜４０アスカーＣ硬度を有する
請求項１ないし４のいずれかに記載の靴。
【請求項６】
前記中空体（４）は球形または楕円形である
請求項１ないし５のいずれかに記載の靴。
【請求項７】
前記中空体（４）は、長円形であり、末端領域では丸みを帯びている、特に半球形である
請求項１ないし５のいずれかに記載の靴。
【請求項８】
中空体（４）の最大寸法（Ｌ）は、４ｍｍ〜１０ｍｍ、好ましくは、６〜８ｍｍである
請求項１ないし７のいずれかに記載の靴。
【請求項９】
中空体（４）の肉厚（ｔ）は、０．３ｍｍ〜１．２ｍｍ、好ましくは、０．５ｍｍ〜１．０ｍｍである
請求項１ないし８のいずれかに記載の靴。
【請求項１０】
中空体（４）およびキャリア材（５）から成る前記ソールは、２５％〜７５％、好ましくは、３０％〜５０％の中空体（４）の体積分率を有する
請求項１ないし９のいずれかに記載の靴。
【請求項１１】
中空体（４）およびキャリア材（５）から成る前記ソール（３）は、真下にアウトソール（６）が配置されるミッドソール（３’）として設計される
請求項１ないし１０のいずれかに記載の靴。
【請求項１２】
ジョギングシューズとして設計される
請求項１ないし１１のいずれかに記載の靴。
【手続補正２】
【補正対象書類名】明細書
【補正対象項目名】全文
【補正方法】変更
【補正の内容】
【発明の詳細な説明】
【技術分野】
【０００１】
本発明は、アッパー、および上記のアッパーに連結されるソールを有する靴、特に運動靴であって、ソールの少なくともいくつかのエリアはキャリア材に埋め込まれるいくつかの中空体から成り、上記のキャリア材は発泡プラスチック材料から成る靴に関する。
【背景技術】
【０００２】
一般的なタイプの靴は、特許文献１および特許文献２に開示されている。他の解決策は、特許文献３、特許文献４、および特許文献５に示されている。
【０００３】
このタイプの靴は、普通は、着用が快適であり、さりながら、さらに良好なばね特性およびクッション性を有するような靴を設計することが必要とされる。特に、ソールの良好な復元性がここで所望されている（「反動」効果としても既知である）。
【先行技術文献】
【特許文献】
【０００４】
【特許文献１】米国特許出願公開第２０１１／１３１８３２号
【特許文献２】欧州特許出願公開第１７３８８８９号
【特許文献３】米国特許第６１２７０１０号
【特許文献４】国際公開第２００７／１３９８３２号パンフレット
【特許文献５】米国特許第６２５８４２１号
【特許文献６】国際公開第２０１０／０１００１０号パンフレット
【発明の概要】
【発明が解決しようとする課題】
【０００５】
多数の以前から既知の解決策に基づいて、本発明は、この点においてさらに改善される、すなわち、特に、良好なスプリングバックまたは復元性を有する一般的な靴を提供する目的に基づく。
【課題を解決するための手段】
【０００６】
本発明によるこの目的の解決策は、中空体の材料が発泡熱可塑性ポリウレタン（Ｅ−ＴＰＵ）であることを特徴とする。
【０００７】
キャリア材として使用されるプラスチック材料は、好ましくは、粘弾性的挙動を示し、好ましくは、ポリウレタンから成る、または少なくともこの材料を有する。粘弾性は、機械的応力下で、部分的な弾性および粘性の材料挙動が発生することである。この挙動が非常に高くなった温度でのみ観察され得る金属材料と対照的に、プラスチックの粘弾性的挙動は、既に室温で生じるため、これらの材料の、剛性、強度、変形、および靱性挙動に対して強力で実際的な影響を与える。
【０００８】
キャリア材として使用されるプラスチック材料は、好ましくは、０．１５〜０．３５ｇ／ｃｍ3の密度を有する。
【０００９】
キャリア材として使用されるプラスチック材料は、好ましくは、２５〜４０アスカーＣ硬度を有する。
【００１０】
中空体は好ましくは、球形または楕円形であり、また、長円形であり、末端領域では丸みを帯びている、特に半球形とすることができる。そのために、中空体の最大寸法は、好ましくは、４ｍｍ〜１０ｍｍであり、具体的には、６〜８ｍｍが好ましい。中空体の肉厚は好ましくは、０．３ｍｍ〜１．２ｍｍであり、具体的には、０．５ｍｍ〜１．０ｍｍが好ましい。
【００１１】
中空体およびキャリア材から成るソールは、好ましくは、２５％〜７５％、具体的には３０％〜５０％が好ましい中空体の体積分率を有する（それぞれ、ソールに対する外部負荷なく測定される）。
【００１２】
そのために、中空体およびキャリア材から成るソールは、真下にアウトソールが配置されるミッドソールとして設計可能である。
【００１３】
靴は具体的には、ジョギングシューズとして設計されるのが好ましい。
【００１４】
靴のアッパーは、一般的に、要望通りに設計可能である。典型的な織物、革、または模造皮革材料が使用可能である。編物材料も可能である。アッパーが編物材料から作られる場合、このアッパーを靴下のように設計し、このアッパーをソールに連結することも可能である。この場合、アッパーは、一体型の、好ましくは無縫製の編成部として設計される。丸編み機はこの目的で使用可能であり、これによって、周囲全体が閉じられた布地が製作され得る。
【００１５】
当然ながら、アッパーが製作可能である他の可能性もある。上で説明したように、靴のアッパーは典型的なやり方で製作されることが想定可能であり、着用者の足裏の下に及ぶ下部は例えば、アッパーに縫製可能であるストロベルソールがある。これは、特に、アッパーの編成された上部と組み合わせてなされ得る。
【００１６】
アッパーは、例えば、縫製および／または接着によってソール部に取り付け可能である。
【００１７】
上述されるウレタン系熱可塑性エラストマーに関して、特許文献１６に明確に言及されている。特許文献１６では、熱可塑性ポリウレタンおよびスチレン重合体を含有する、発泡性の発泡剤を含有する熱可塑性ポリマーブレンドが開示されている。
【００１８】
靴、とりわけ運動靴が上で指定されるように設計される時、（着用者の脚による圧縮力の除去後）靴の圧縮挙動およびこの回復性に関して、靴の非常に有利で快適な着用性が実現可能であることが示されている。
【００１９】
キャリア材として使用される材料の粘弾性的挙動に関して、これが、圧点を回避して、靴の着用者の脚に対する圧力の好適な分布を実現可能であることは留意されるべきである。この材料は、むしろ徐々に脚に適応し、これによって、材料の即時のスプリングバックは生じない。粘弾性材料の例には、エチレン酢酸ビニル（ＥＶＡ）およびポリウレタン（ＰＵ）などの粘弾性発泡体がある。ＥＶＡおよびＰＵは、粘性および弾性を有する軽量で安定した発泡材料である。軟質で弾性の材料により、この材料は脚に最適に適応する。これらの粘弾性発泡体の別の有利な性質は、これらが応力なく元の形状に戻ることである。
【００２０】
アスカーＣによる上述した硬度は、当業者には十分既知であり、これについては、ＳＲＩＳ  ０１０１およびＡＢＮＴ  ＮＢＲ  １４４５５の規格を参照する。
【００２１】
図面には、本発明の実施形態が示されている。
【図面の簡単な説明】
【００２２】
【図１】靴の概略的な側面図である。
【図２】図１に示される靴のミッドソールの一部による断面、すなわち、細部「Ｘ」を概略的に示す図である。
【図３】ソールの一部であり、球体の形態の中空体を示す図である。
【図４】図３に対する中空体の代替的な設計を楕円体として示す図である。
【図５】図３に示されるような中空体の別の代替策を長円要素として示す図である。
【発明を実施するための形態】
【００２３】
図１は、アッパー２およびソール３を含むランニングシューズ（ジョギングシューズ）の形態の靴１を示す。ソール３は、例えば、接着剤によってアッパー２に連結される。示される実施形態では、ソール３はミッドソール３’から成り、この真下にアウトソール６が配置され、このアウトソール６は、例えば、接着部によってミッドソール３’に接着させる。
【００２４】
ミッドソール３’は図２に示されるような材料組成で作られる。それ故に、ミッドソール３’がキャリア材５に埋め込まれるいくつかの中空体４から成ることを目的とする。それによって、キャリア材５は発泡プラスチックから成る。
【００２５】
中空体は、中空の球体として図２に示されている。このような中空体４が中空球体の形態で示される図３をこの範囲で参照する。そのために、ここで、球体の直径の形態での最大寸法はＬで示される。中空体４は肉厚ｔを有する。
【００２６】
中空体の代替的な設計が図４および図５に示されている。図４において、中空体４は楕円体として設計され、図５において、端部エリアでは半球形として設計される長円体として設計される。
【００２７】
中空体４は、例えば、射出成形、ブロー成形、またはレーザ焼結によって製作可能である。
【００２８】
中空体の表面は、部分的に開放され得る、または完全に閉じられ得る。中空体は、閉じられる場合、好ましくは空気を含有する。中空体４は、とりわけ、圧縮中の変形による変形力の顕著な直線状ではない推移を示す事実によって特徴付けられる。それ故に、中空体４は、ある程度まで比較的容易に変形または圧縮可能であるが、ある特定のレベルの変形を上回ると、さらなる変形に対する抵抗が急激に増大し、すなわち、ここで、中空体をさらに変形させることはより困難になる。
【００２９】
この挙動は、運動の分野における緩衝システムにとって、ここではとりわけ靴底（ミッドソールおよびインソールも）にとって非常に有利であり得る。
【００３０】
外力の除去後、中空体４はこの元の形状を完全に取り戻す。
【００３１】
中空体４は、溶接によってまたはマイクロ波の使用によって、２つの半球体またはハーフシェルを共に接合することによって製作可能である。円形ウェブは接合部で形成可能であり、これは、所望のやり方で剛性に対するプラス効果を与えることができる。
【００３２】
提案された中空体４と、上述される各材料から作られるキャリア材５との組み合わせは、この材料の組み合わせから作られるソール、とりわけ好ましくはミッドソールが、（中空体４の使用によって）良好な回復特性またはスプリングバック特性を有するが、それにもかかわらず、（キャリア材５の使用によって）靴の着用時の高い快適さを可能にするという非常に有利な結果をもたらす。
【００３３】
キャリア材５向けの（ポリウレタンフォームの形態の）比較的軟質の材料によって、靴の着用時の高い快適さが保証される。一方では、とりわけ、ミッドソールの形態のソールが良好な復元効果を有するように、中空体４によって所望の「反動効果」がもたらされる。
【００３４】
材料の上述した硬度は、所望の効果がこの材料の最良の長所として示されるように選択される。
【００３５】
よって、とりわけ、ランニングシューズ（ジョギングシューズ）として設計される提案された靴は、上述した目的に関して最適な使用性を有する。
【符号の説明】
【００３６】
１  靴
２  アッパー
３  ソール
３’  ミッドソール
４  中空体
５  キャリア材
６  アウトソール
Ｌ  中空体の最大寸法
ｔ  中空体の肉厚
【国際調査報告】
2021516114.tif 000008
2021516114.tif 000009
2021516114.tif 000010
2021516114.tif 000011
2021516114.tif 000012
2021516114.tif 000013